【事件の表示】
　平成　９年特許願第１２０９９４号「地下水貯蔵用水槽」拒絶査定に対する審判事件［平成１０年１１月２４日出願公開、特開平１０−３１０１９６］について、次のとおり審決する。
【結　論】
　本件審判の請求は、成り立たない。
【理　由】
＜１＞本願発明　
　本願は、平成9年5月12日の出願であって、その請求項１〜2に係る発明は、平成11年12月6日付け手続補正書により補正された明細書および当初図面の記載からみてその特許請求の範囲の請求項１〜2に記載されたとおりであるところ、請求項1には、次のように記載されている。  
「【請求項１】　有底のケーシング（２）を地中に起立した状態で地下水の自然水位（ＷＬ）に対応する部位よりも深く埋設し、該ケーシング（２）の上層部における地下水の自然水位（ＷＬ）に対応する部位に取水口（３）を設け、該取水口（３）より自然流入した水がケーシング（２）内に貯まることを特徴とする地下水貯蔵用水槽。」　
　
＜２＞引用例　
　そして、請求項1に係る発明に対して、原査定の拒絶の理由には、下記の刊行物が引用されている。
　　刊行物1：特開平9-32016号公報　
　　刊行物2：特開平2-45388号公報　
　　
　刊行物1〜2には、図面を引用して例えば次の記載がある。　
　
＜刊行物1＞特開平9-32016号公報　
ａ：　
「【特許請求の範囲】【請求項１】　滞水層地盤などの地下水を含む地盤中に地上から構築され、横断面形状が閉鎖し、かつ、下端が不透水層に到達する遮水構造体と、この遮水構造体の内部を掘削して形成される貯水タンク部と、前記遮水構造体を貫通する複数の取水口と、前記取水口を開閉する開閉装置とを備えたことを特徴とする地下水貯留槽。　
【請求項２】・・・・・・・・・・・・・・・・。　
【請求項３】　請求項１記載の地下水貯留槽は、前記遮水構造体の下端に前記不透水層に相当するコンクリート底版を設けたことを特徴とする地下水貯留槽」　
ｂ：　
「【０００７】【発明の実施の形態】・・・図１から図４は、本発明にかかる地下水貯留槽の一実施例を示している。同図に示す地下水貯留槽は、滞水層地盤１０中に構築された遮水構造体１２と、貯水タンク部１４と、取水口１６と、開閉装置１８とを備えている。この遮水構造体１２は、横断面形状が閉鎖した形状に形成されている。　
【０００８】この実施例では、遮水構造体１２は、正方形の四辺状に位置し、端部同士が相互に連結されたする４つの鉛直壁体１２ａから構成されていて、・・・。各鉛直壁体１２ａは、滞水層地盤１０の下方に位置する不透水層２０に、下端側が陥入する位置まで地上から延長されている。　
【０００９】このような鉛直壁体１２ａの構築方法としては、例えば、鉄筋コンクリート製の鉛直壁体１２ａを地上から構築する地中連続壁工法や、あるいは、鋼板を横方向に地上から打設する工法などが採用される・・・。　
【００１０】・・・取水口１６は、地下水のレベル（ＧＬＷ）よりも下方にあって、各鉛直壁体１２ａにそれぞれ同様な位置に設けられている。この実施例では、鉛直壁体１２ａの下部側に４個の下部取水口１６ａが所定の間隔をおいて設けられ、この下部取水口１６ａの上方に１個の上部取水口１６ｂが設けられている。・・・。　
【００１２】開閉装置１８は、上部取水口１６ｂと下部取水口１６ａとを個別に開閉するものであって、・・・。」　
ｃ：　
図２において、鉛直壁体12ａに設けられた取水口は、ＧＷＬの下の一定の幅の範囲に５個の取水口が上中下の三段階の高さに設けられ、下部取水口16ａのうち最下位にある取水口の下方には、不透水層20の上面を示す線が表示されてあり、鉛直壁体と不透水層16によりいわゆる水槽が形成されていることがわかる。上部取水口16ｂは、この水槽の中央部より上部、すなわち上層部に設けられていることがわかる。　
ｄ：　
「【００１６】さて、以上のように構成された地下水貯留槽では、開閉装置１８の駆動用モータ３０ａを作動することにより、上部取水口１６ｂおよびまたは下部取水口１６ａを開放すると、滞水層地盤１０中に含まれている地下水が取水口１６を介して貯水タンク部１４内に自然に流入する。　
　この場合、鉛直壁体１２ａに設けられている複数の取水口１６（下部取水口１６ａと上部取水口１６ｂ）の使い分けは、貯留槽が設置されている地盤性状や地下水位の高低などを考慮して行う。
【００１７】すなわち、貯水タンク部１４に地下水を取り入れる際には、全ての取水口１６を全開にして行うことを基本とするが、例えば、取水により地下水位が低下して、地盤が沈下する恐れが有る場合には、取水口１６の開口率を調節したり、地下水位の位置に対応した取水口１６を選択して注水を行う。」　
ｅ：　
「【００２０】さて、以上のように構成された地下水貯留槽によれば、遮水構造体１２の内部を掘削して地下水の貯水タンク部１４を形成するので、貯水タンク部１４の全空間内に地下水を貯留することができ、貯留量を十分に確保することが可能になる。
　また、遮水構造体１２が滞水層地盤１０中に形成され、遮水構造体１２を貫通する取水口１６を備えているので、開閉装置１８により取水口１６を開放すると、滞水層地盤１０中の地下水が自動的に貯水タンク部１４内に流入するので、注水に人手や手間をかける必要がない。」　
ｆ：　
「【００２５】また、上記実施例では、遮水構造体１２の鉛直壁体１２ａを不透水層２０に到達するように構築して、貯水タンク部１４の下端をこの不透水層２０で閉止する構成を例示したが、例えば、不透水層２０の地盤中の位置が非常に深い場合などには、不透水層２０に相当する底版を鉛直壁体１２ａの下端に形成してもよい。　
【００２６】【発明の効果】以上、実施例で詳細に説明したように、本発明にかかる地下水貯留槽によれば、以下の効果が得られる。　
・・・・・・・・・・・　
［5］（実際は丸に5が記載されている）貯留槽に溜められた地下水は、飲料水や雑配水として利用できる他、災害時の非常用水としても有効に活用でき、しかも、地下水を含んでいる地盤であれば、任意の箇所に構築できるので、用途に最も適した場所に構築することかできる。
・・・・・・・」　　
　
＜刊行物2＞特開平2-45388号公報　
ｇ：　
「2.特許請求の範囲　
　地下に埋設させた縦長の貯水タンクに給水管と排水管を設け、この給水管と排水管の各管路には常時は開いて前記貯水タンクに水を流入及び流出させると共に、非常時には自動的に閉じる自動遮断弁が各々設けられており、また前記貯水タンク外に設置され非常時に高圧給送管を介して貯水タンク内へ高圧気体を送る高圧気体貯蔵タンクと、この高圧気体の揚圧力を受けた水を貯水タンク外へ圧送する取水管とを備えた地下貯水装置」　
ｈ：　
「（産業上の利用分野）　本発明は、地下に埋設したタンクに水を貯蔵させて非常時の飲料水や消火用水等に利用できるようにした地下貯水装置に関するものである。」（第1頁左下欄第15〜18行）　
ｉ：　
「（発明が解決しようとする課題）　しかしながら、前記した従来の技術では広い用地占有面積を必要とするので設置場所が制限される欠点がある。」（第1頁右下欄第13〜16行）　
ｊ：　
「地上から堀削した立坑内に、鋼製やコンクリート製等による縦長の貯水タンク1を地中深く埋設させ、この貯水タンク1には一端側が当該タンク内の下部に開口する給水管2と、一端側が当該タンク内の上部へ開口する排水管3が各々設けられている。・・・・・また給水管2から分岐されて取水管9が設けられ、該給水管2には常時は閉じた状態で使用され非常時には開いた状態で使用される手動開閉弁10が設けられている。」（第2頁左上欄第16行〜右上欄第14行）　
ｋ：　
「（発明の効果）・・・本発明の地下貯水装置では縦長の貯水タンクの使用によって狭い用地占有面積で大量に貯水することができるので、所望の場所に設置することが可能で且つ経済的である。」（第2頁左下欄第15〜20行）　
ｌ：　
　第1図には、有底で縦長の貯水タンクが地中に起立状態で埋設されている構成が記載されている。　
　　
＜3＞対比・判断　
＜3-1＞本願請求項1に係る発明について　
　まず、本願請求項1に係る発明の「ケーシングの上層部における地下水の自然水位（ＷＬ）に対応する部位に取水口を設け」た点について、本願明細書には   
「ケーシング２の中間部に・・・取水口３を、埋設した土地の地質における自然水位ＷＬのレベルから地下水を保留する範囲間に亘って設ける」（【0011】）、　
「自然水位ＷＬが地表ＧＬから約２０メートルであったから、埋め込んだケーシング２の桝１を含めた２０メートルの深さから地下に向かって約１０メートルの範囲間に亘ってスクリーン付き取水口３を介在し・・・ケーシング２は、取水口３の前記地下２０メートルの自然水位より更に８０メートルの深さに至るまで埋設したものである。」（【0012】）、　
と、記載されているから、本願請求項1に係る発明において「取水口」を設けている「地下水の自然水位（ＷＬ）に対応する部位」とは、単に線状の狭い部位を意味するものではなく、ある程度変位する自然水位に対応できる幅のあるもので、また、自然水位より下方でなければ地下水を取り入れることができない。　
　
＜3-2＞刊行物1記載の発明について　
　一方、刊行物1記載の発明において、　
「取水口１６は、地下水のレベル（ＧＬＷ）よりも下方」（【0010】）であるから、＜地下水の自然水位（ＷＬ）に対応する部位に取水口を設け＞てある、ということができ、　
 図2において、コンクリート底版に相当する不透水層が、最下位にある取水口のさらに下方にあり（記載ｃ）、「上部取水口１６ｂおよびまたは下部取水口１６ａを開放すると、滞水層地盤１０中に含まれている地下水が取水口１６を介して貯水タンク部１４内に自然に流入する」（【0016】）ものであるから、＜槽＞（以下、ケーシング、水槽、貯留槽などのいわゆる水を貯めるものを、仮に＜槽＞という）を＜地中に地下水の自然水位（ＷＬ）に対応する部位よりも深く埋設し＞てあるということができ、　
上記のような位置関係のものであるから、＜取水口より自然流入した水が＜槽＞内に貯まる＞ということができる。　
　また、刊行物1記載の発明において　
「複数の取水口１６（下部取水口１６ａと上部取水口１６ｂ）の使い分けは、貯留槽が設置されている地盤性状や地下水位の高低などを考慮して行う。」（【0016】）、　
「例えば、取水により地下水位が低下して、地盤が沈下する恐れが有る場合には、取水口１６の開口率を調節したり、地下水位の位置に対応した取水口１６を選択して注水を行う。」（【0017】）、とあるように、上下に設けられた取水口は必要に応じて適宜開閉して用いるもので、そのような取水口の一つである上部取水口16ｂは図2の記載から、＜槽＞の「上層部」にある（記載ｃ）、ということができる。　
　さらに、刊行物1記載の発明では、「鉛直壁体」とあるように、＜槽＞は、側壁に相当する壁体は鉛直であるから傾いてもなく、横になっているわけでもないので、「起立し」ている、ということができる。　
　
＜3-3＞一致点と相違点　
　そこで、刊行物1記載の発明と本願請求項1に係る発明とを対比すると、　
刊行物1記載の発明の上記「コンクリート底版を設けた地下水貯留槽」は本願請求項1に係る発明の「地下水貯蔵用水槽」に相当し、「地下水のレベル（ＧＷＬ）」は「地下水の自然水位（ＷＬ）」に相当するから、　
両者は、　
「＜槽＞を地中に起立した状態で地下水の自然水位（ＷＬ）に対応する部位よりも深く埋設し、該＜槽＞の地下水の自然水位（ＷＬ）に対応する部位に取水口（３）を設け、該取水口（３）より自然流入した水が＜槽＞内に貯まることを特徴とする地下水貯蔵用水槽」
で一致するが、　
＜相違点1＞　
＜槽＞の構成が、　
本願請求項1に係る発明においては「有底のケーシング」（例えば、実施例では直径1メートルのパイプ（【0007】）を埋設）であるが、　
刊行物1記載の発明においては、　
「遮水構造体の下端に不透水層に相当するコンクリート底版を設けた」（【請求項3】）もので、その「遮水構造体」は鉛直壁体からなり、「例えば、鉄筋コンクリート製の鉛直壁体１２ａを地上から構築する地中連続壁工法や、あるいは、鋼板を横方向に地上から打設する工法など」によるものであるから、コンクリート底版が設けられて「有底」であっても、本願請求項1記載の発明の「ケーシング」とは相違する。　
＜相違点2＞　
取水口を設けた「地下水の自然水位（ＷＬ）に対応する部位」が、本願請求項1に係る発明においては＜槽＞の「上層部」にあるが、刊行物1記載の発明においては１つの取水口は上層部にあるが、全体の取水口は上層部から下層部にわたっている点で、相違する。
  
＜3-4＞相違点について検討　
　上記相違点について次に検討すると、　
刊行物2記載の発明における＜槽＞は、第1図に記載されているように縦長で有底の「貯水タンク」で（記載ｌ）、　
「地上から堀削した立坑内に、鋼製やコンクリート製等による縦長の貯水タンク1を地中深く埋設させ」（記載ｊ）たもので、本願請求項1に係る発明における「ケーシング」に相当するということができるから、刊行物1記載の発明の＜槽＞を刊行物2記載の発明の「ケーシング」にすることは、当業者が容易になしうることである。　
　その際、刊行物2記載の発明の縦長のケーシングにすると、刊行物1記載の発明の取水口は、本願請求項1に係る発明と同じく「地下水の自然水位（ＷＬ）に対応する部位」にあるのであるから、その下方を縦長になるように延長することになり、取水口を設けた「地下水の自然水位（ＷＬ）に対応する部位」は縦長のケーシングの「上層部」に位置することになる。　
　そうしてみると、刊行物1記載の発明および刊行物2記載の発明から本願請求項1に係る発明を構成することは、当業者が容易に想到し得るものであるということができる。　
　
＜4＞むすび　
　したがって、本願の請求項１に係る発明は、刊行物1および刊行物2記載の発明に基づいて当業者が容易に発明することができたものであるから、特許法第29条第2項の規定により特許を受けることはできず、請求項2に係る発明については判断するまでもなく、本願は拒絶すべきものと認められる。　
　よって、結論の通り審決する。